(57)【要約】      （修正有）【課題】無線マイクロホンの信号受信構造を提供する。【解決手段】遠隔制御通信（ＲＳ４８５）インタフェースホスト１に、信号線３を介して、複数のＲＳ４８５インタフェース受信器２が連接された信号受信構造であって、各受信器２は、ホスト１から電源が供給される一方、各受信器２の信号受信距離が互いに重ね合うように設置位置を設定することで、受信器２が無線マイクロホン信号を受信し、ＲＳ４８５遠隔制御通信によりホスト１に送信する場合に、無線マイクロホンの使用範囲を拡大する。受信器２内の受信モジュールが自動的に無線マイクロホン信号を選別して、比較的強い信号をホスト１へ出力する。【選択図】図３
0003191735.tif 000002
【実用新案登録請求の範囲】
【請求項１】
ＲＳ４８５インタフェースホストに、信号線を介して、複数のＲＳ４８５インタフェース受信器が連接され、各受信器の信号受信範囲が、重ね合うことにより、拡大され、任意の受信器が、無線マイクロホン信号を受信した後、ＲＳ４８５遠隔制御通信により、ホストに送信されて、信号線により、ホストから、電源を受信器へ供給し、無線マイクロホンの使用範囲を拡大できる、ことを特徴とする無線マイクロホンの信号受信構造。
【請求項２】
受信器内の受信モジュールが、自動的に、信号を選別して、比較的に、強い信号を、ホストへ出力する、ことを特徴とする請求項１に記載の無線マイクロホンの信号受信構造。
【考案の詳細な説明】
【技術分野】
【０００１】
本考案は、無線マイクロホンの信号受信構造に関し、特に、遠隔制御通信インタフェースホストに、複数の遠隔制御通信インタフェース受信器を連接させ、各受信器の信号受信距離が、重ね合うことにより、範囲が拡大されるものに関する。
【背景技術】
【０００２】
従来のマイクロホンは、無線と有線との二種類の形式があり、両者に、それぞれ、利点や欠点がある。有線マイクロホンは、干渉されにくいが、信号線があって、不便であり、無線マイクロホンは、便利で、任意に移動できるが、周波数が容易に干渉され、また、受信器の受信信号距離が制限されて、使用範囲が制限される。
【０００３】
有効に、無線マイクロホンの効率を向上するために、従来技術は、受信器の二つのアンテナ設計や後付きアンテナを利用して、信号受信死角（無線マイクロホンの発射パワーが、法律によって制限されている）を解消するが、環境死角（例えば、仕切りや環境遮断物など）及び発射パワーの制限が、完全に解決できないため、無線マイクロホンのユーザーが、いまでも、使用距離や範囲不足の問題に対面しなければならなく、それとともに、従来技術は、解決しなければならない問題が残されている。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、無線マイクロホンの信号受信構造であり、それは、遠隔制御通信（例えば、ＲＳ４８５）インタフェースホストに複数の遠隔制御通信インタフェース受信器を連接させ、各受信器の信号受信範囲が、重ね合うことにより、拡大され、任意の受信器が、無線マイクロホン信号を受信した後、それをホストへ送信し、これにより、無線マイクロホンの使用範囲を拡大でき、本考案によれば、次の利点が得られる。
【０００６】
本考案は、ホストに連接された複数の受信器から構成され、また、複数の受信器の間において、その信号受信距離に基づいて重ね合うように設置位置を設定することにより、範囲拡大（例えば、受信器の受信距離が、百メーターであれば、両受信器の間において、互いに二十メーターほど重ね合うように隣接する場合、受信距離が、百八十メーターになる効果が得られる）の効果が得られ、これにより、無線マイクロホンの信号が、異なる位置にある受信器アンテナによって受信された後、（比較的に強い信号来源を）自動選別してホストへ信号を出力し、そのため、ホストへ出力された音量や品質が、有効に向上されて、環境死角や受信距離が短い問題が解決され、徹底的に、音声の断続や騒音の欠点を解消できる。
【０００７】
本考案は、一つのホストに、複数の受信器が対応するような構造設計が用いられ、遠隔制御通信インタフェースで、遠隔制御通信を行うため、各受信器が、大きいパワー（受信距離）でなくでも良く、各受信器のコストを、比較的に低下でき、また、ホストに合わせて、信号受信範囲が拡大された後、より良い効果が得られる。  
【０００８】
本考案によれば、ホストは、各受信器チャンネルを切り替え制御でき、信号線で信号を伝送し、また、ホストにより、受信器に電源供給されるため、構造レイアウトが、極めて簡単で、一般のユーザーが、ディーアイワイ（ＤＩＹ）で実装することができる。
【課題を解決するための手段】
【０００９】
請求項１の考案は、ＲＳ４８５インタフェースホストに、信号線を介して、複数のＲＳ４８５インタフェース受信器が連接され、各受信器の信号受信範囲が、重ね合うことにより、拡大され、任意の受信器が、無線マイクロホン信号を受信した後、ＲＳ４８５遠隔制御通信により、ホストに送信されて、信号線により、ホストから、電源を受信器へ供給し、無線マイクロホンの使用範囲を拡大できる、ことを特徴とする無線マイクロホンの信号受信構造である。
【００１０】
請求項２の考案は、受信器内の受信モジュールが、自動的に、信号を選別して、比較的に、強い信号を、ホストへ出力する、ことを特徴とする請求項１に記載の無線マイクロホンの信号受信構造である。
【００１１】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１２】
本考案は、無線マイクロホンの信号受信構造であり、遠隔制御通信（例えば、RS485を利用する場合）インタフェースホスト１に、信号線３を介して、複数の遠隔制御通信インタフェース受信器２が連接され（例えば、図１乃至図３のように）、令各受信器２の信号受信範囲が、互いに重ね合うことにより、拡大され、任意の受信器２が、受信した無線マイクロホン信号を、遠隔制御通信により、ホスト１へ伝送することにより、無線マイクロホンの使用範囲を拡大する目的が実現される。
【００１３】
また、本考案の受信器２は、二つの受信モジュール２２（受信機ＬとＲ）が内蔵され、二つのアンテナ構造により、それぞれ、二つの無線マイクロホンの信号を受信し、受信モジュール２２が、受信した信号の中の強い信号を自動選別して、出力し（受信モジュール２２が、無線マイクロホン信号を受信した後、無線周波回路で、音声信号や電圧信号にフィルターや混合及び復調し、電圧信号が、受信器２のシングルチップマイクロプロセッサー２３によって、ディジタル信号に転換される）、受信器２とホスト１との間にある接続ポート２１、１１が、信号線３によって連接され（本考案において、接続ポートとして、ＲＪ４５接続ソケットが用いられ、信号線３が、ネットワーク回線であり、信号線３により、信号が伝送され、ホスト１により、受信器２へ電源が供給され、ホスト１は、各受信器２から、遠隔制御通信を介して、伝送されたディジタル信号を受信した後、ホスト１のシングルチップマイクロプロセッサー１２により、比較的に強い信号の受信器２を選別し、その後、音声切り替えスイッチ１３により、自動的に、その受信器２の音声信号を、ホスト１の出力音声として、選別する）、即ち、信号が、ホスト１の音声拡大や音声切り替えスイッチ１３を通して、出力され（例えば、スピーカーによって拡大して放送する）、無線マイクロホン信号が、受信器２を介して、ホスト１へ伝送されて出力される目的が達成され（ホスト１内部のシングルチップマイクロプロセッサー１２も、遠隔制御通信で、チャンネルや周波数及び音量等のデータを、各受信器２へ伝送し、各受信器２のチャンネルや周波数及び音量を制御することができる）。
【００１４】
そのため、本考案は、複数の受信器２を、それぞれ、異なる箇所に設置して、信号線３で、ホスト１に連接し（或いは、受信器２の間において、信号線３で、連接してから、ホスト１に連接する）、各受信器２の受信範囲が、互いに、重ね合うことにより、拡大範囲の効果が実現され（図４のように、例えば、受信器の受信距離が、百メーターであれば、両受信器の間において、互いに二十メーターほど重ね合うように隣接する場合、受信距離が、百八十メーターになる効果が得られる）、これにより、ユーザーが、無線マイクロホンを持ちながら任意に歩いても、重ね合う複数の受信器２の範囲内で使用でいい、また、無線マイクロホンから、信号が、発射される時、異なる位置の受信器２アンテナによって受信され、自動選別（比較的に強い信号来源を選別する）して、信号をホスト１へ出力するため、ホスト１から出力された音量や品質は、有効に向上され、環境死角や短い受信距離の問題が解決され、徹底的に、音声の断続や騒音の欠点を解消でき、そして、大面積の使用場所に適用だけではなく（例えば、図５のように）、異なる階層の間の信号受信にも適用できる（例えば、図６のように）。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１７】
【図１】本考案のホスト構造図
【図２】本考案の受信器構造ブロック図
【図３】本考案の組立て状態図
【図４】本考案の使用状態参考図一
【図５】本考案の使用状態参考図二
【図６】本考案の使用状態参考図三
【符号の説明】
【００１８】
１  ホスト
１１  接続ポート
１２    シングルチップマイクロプロセッサー
１３    音声切り替えスイッチ
２  受信器
２１  接続ポート
２２  受信モジュール
２３  シングルチップマイクロプロセッサー
３  信号線
【図１】
0003191735.tif 000003
【図２】
0003191735.tif 000004
【図３】
0003191735.tif 000005
【図４】
0003191735.tif 000006
【図５】
0003191735.tif 000007
【図６】
0003191735.tif 000008
【手続補正書】
【提出日】平成26年4月30日(2014.4.30)
【手続補正１】
【補正対象書類名】実用新案登録請求の範囲
【補正対象項目名】全文
【補正方法】変更
【補正の内容】
【実用新案登録請求の範囲】
【請求項１】
ＲＳ４８５インタフェースホストに、信号線を介して、複数のＲＳ４８５インタフェース受信器が連接された信号受信構造であって、
前記各受信器は、前記ホストから電源が供給される一方、各受信器の信号受信距離が互いに重ね合うように設置位置を設定することで、前記受信器が無線マイクロホン信号を受信し、ＲＳ４８５遠隔制御通信により前記ホストに送信する場合に、無線マイクロホンの使用範囲を拡大する
ことを特徴とする無線マイクロホンの信号受信構造。
【請求項２】
前記受信器内の受信モジュールが自動的に前記無線マイクロホン信号を選別して、比較的強い信号を前記ホストへ出力することを特徴とする請求項１に記載の無線マイクロホンの信号受信構造。
【手続補正２】
【補正対象書類名】明細書
【補正対象項目名】００１３
【補正方法】変更
【補正の内容】
【００１３】
そのため、本考案は、複数の受信器２を、それぞれ、異なる箇所に設置して、信号線３で、ホスト１に連接し（或いは、受信器２の間において、信号線３で、連接してから、ホスト１に連接する）、各受信器２の受信範囲が、互いに、重ね合うことにより、拡大範囲の効果が実現され（図４のように、例えば、受信器の受信距離が、百メーターであれば、両受信器の間において、互いに二十メーターほど重ね合うように隣接する場合、受信距離が、百八十メーターになる効果が得られる）、これにより、ユーザーが、無線マイクロホンを持ちながら任意に歩いても、重ね合う複数の受信器２の範囲内で使用でき、また、無線マイクロホンから、信号が、発射される時、異なる位置の受信器２アンテナによって受信され、自動選別（比較的に強い信号来源を選別する）して、信号をホスト１へ出力するため、ホスト１から出力された音量や品質は、有効に向上され、環境死角や短い受信距離の問題が解決され、徹底的に、音声の断続や騒音の欠点を解消でき、そして、大面積の使用場所に適用だけではなく（例えば、図５のように）、異なる階層の間の信号受信にも適用できる（例えば、図６のように）。